【手続補正書】
【提出日】平成17年7月5日(2005.7.5)
【手続補正１】
【補正対象書類名】明細書
【補正対象項目名】特許請求の範囲
【補正方法】変更
【補正の内容】
【特許請求の範囲】
【請求項１】
画像形成装置本体に着脱自在で、かつ現像装置内に内包された現像剤量が予め定めた量以下になった場合に現像装置全体を交換するべく設定された現像装置において、新品の画像形成装置本体に同梱された同梱用現像装置に内包される現像剤量を、現像剤量低減時に交換される交換用現像装置に内包される現像剤量より少量にすると共に、同梱用現像装置と、交換用現像装置を識別する識別手段を設け、現像装置回収後に、各々の現像装置を構成する各部品の再使用、再利用形態を別々に設定することを特徴とする画像形成装置の現像装置。
【請求項２】
画像形成装置本体に着脱自在に、且つ現像装置内に内包された現像剤量が、予め定めた量以下になった場合に装置全体を交換するべく設定された現像装置において、現像剤量低減時に交換される交換用現像装置に内包される現像剤量を異ならせた複数種の選択可能な現像装置群を設定すると共に、各現像装置群を識別する識別手段を設け、現像装置回収後に各々の現像装置を構成する各部品の再使用、再利用形態を別々に設定することを特徴とする画像形成装置の現像装置。
【請求項３】
上記現像装置を構成する各部品の内、少なくとも現像ローラを含む機能部品の最終交換時期までは、該機能部品を含む最大使用可能な部品組立形態で再使用することを特徴とする請求項１項又は請求項２項記載の画像形成装置の現像装置。
【請求項４】
画像形成装置本体に着脱自在に、且つ該現像装置内に内包された現像剤量が、予め定めた量以下になった場合に装置全体を交換するべく設定された現像装置と、静電潜像担持体とをユニット内に有するプロセスカートリッジにおいて、新品の画像形成装置本体に同梱された同梱用プロセスカートリッジ内の現像装置に内包される現像剤量を、 現像剤量低減時に交換される交換用の現像装置に内包される現像剤量より少量とすると共に、該同梱用プロセスカートリッジと、交換用プロセスカートリッジを識別する識別手段を設け、プロセスカートリッジ回収後に各々のユニットを構成する各部品の再使用、再利用形態を別々に設定することを特徴とする画像形成装置のプロセスカートリッジ。
【請求項５】
画像形成装置本体に着脱自在に、且つ該現像装置内に内包された現像剤量が、予め定めた量以下になった場合に装置全体を交換するべく設定された現像装置と、静電潜像担持体とをユニット内に有するプロセスカートリッジにおいて、現像剤量低減時に交換される交換用のプロセスカートリッジに内包される現像剤量を異ならせた複数種の選択可能なカートリッジ群を設定すると共に、各カートリッジ群を識別する識別手段を設け、プロセスカートリッジ回収後に各々のユニットを構成する各部品の再使用、再利用形態を別々に設定することを特徴とする画像形成装置のプロセスカートリッジ。
【請求項６】
上記プロセスカートリッジを構成する各部品の内、少なくとも現像ローラ、又は感光体を含む機能部品の最終交換時期までは、該機能部品を含む最大使用可能な部品組立形態で再使用することを特徴とする請求項４項又は請求項５項記載の画像形成装置のプロセスカートリッジ。
【請求項７】
潜像を担持する像担持体と、像担持体表面に均一に帯電を施す帯電装置と、帯電した像担持体の表面に静電潜像を書き込む露光装置と、像担持体表面に形成された静電潜像を可視像化する現像装置と、像担持体表面の可視像を直接又は中間転写体を介して記録部材に転写する転写装置と、像担持体上のトナ−をクリ−ニングするクリ−ニング装置と、記録部材上の可視像を熱及び又は圧力で定着させる定着装置とを備える画像形成装置において、前記画像形成装置は、請求項１ないし３のいずれかに記載の現像装置又は請求項４ないし６のいずれかに記載のプロセスカートリッジを備えることを特徴とする画像形成装置。
【手続補正２】
【補正対象書類名】明細書
【補正対象項目名】００１３
【補正方法】変更
【補正の内容】
【００１３】
【課題を解決するための手段】  
上記問題を解決するため、請求項１に記載の発明は、画像形成装置本体に着脱自在で、かつ現像装置内に内包された現像剤量が予め定めた量以下になった場合に現像装置全体を交換するべく設定された現像装置において、新品の画像形成装置本体に同梱された同梱用現像装置に内包される現像剤量を、現像剤量低減時に交換される交換用現像装置に内包される現像剤量より少量にすると共に、同梱用現像装置と、交換用現像装置を識別する識別手段を設け、現像装置回収後に、各々の現像装置を構成する各部品の再使用、再利用形態を別々に設定する画像形成装置の現像装置である。
【手続補正３】
【補正対象書類名】明細書
【補正対象項目名】００１４
【補正方法】変更
【補正の内容】
【００１４】
請求項２に記載の発明は、画像形成装置本体に着脱自在に、且つ現像装置内に内包された現像剤量が、予め定めた量以下になった場合に装置全体を交換するべく設定された現像装置において、現像剤量低減時に交換される交換用現像装置に内包される現像剤量を異ならせた複数種の選択可能な現像装置群を設定すると共に、各現像装置群を識別する識別手段を設け、現像装置回収後に各々の現像装置を構成する各部品の再使用、再利用形態を別々に設定する画像形成装置の現像装置である。
【手続補正４】
【補正対象書類名】明細書
【補正対象項目名】００１５
【補正方法】変更
【補正の内容】
【００１５】
請求項３に記載の発明は、上記現像装置を構成する各部品の内、少なくとも現像ローラを含む機能部品の最終交換時期までは、該機能部品を含む最大使用可能な部品組立形態で再使用する請求項１項又は請求項２項記載の画像形成装置の現像装置である。
【手続補正５】
【補正対象書類名】明細書
【補正対象項目名】００１６
【補正方法】変更
【補正の内容】
【００１６】
請求項４に記載の発明は、画像形成装置本体に着脱自在に、且つ該現像装置内に内包された現像剤量が、予め定めた量以下になった場合に装置全体を交換するべく設定された現像装置と、静電潜像担持体とをユニット内に有するプロセスカートリッジにおいて、新品の画像形成装置本体に同梱された同梱用プロセスカートリッジ内の現像装置に内包される現像剤量を、 現像剤量低減時に交換される交換用の現像装置に内包される現像剤量より少量とすると共に、該同梱用プロセスカートリッジと、交換用プロセスカートリッジを識別する識別手段を設け、プロセスカートリッジ回収後に各々のユニットを構成する各部品の再使用、再利用形態を別々に設定する画像形成装置のプロセスカートリッジである。
【手続補正６】
【補正対象書類名】明細書
【補正対象項目名】００１７
【補正方法】変更
【補正の内容】
【００１７】
請求項５に記載の発明は、画像形成装置本体に着脱自在に、且つ該現像装置内に内包された現像剤量が、予め定めた量以下になった場合に装置全体を交換するべく設定された現像装置と、静電潜像担持体とをユニット内に有するプロセスカートリッジにおいて、現像剤量低減時に交換される交換用のプロセスカートリッジに内包される現像剤量を異ならせた複数種の選択可能なカートリッジ群を設定すると共に、各カートリッジ群を識別する識別手段を設け、プロセスカートリッジ回収後に各々のユニットを構成する各部品の再使用、再利用形態を別々に設定する画像形成装置のプロセスカートリッジである。
【手続補正７】
【補正対象書類名】明細書
【補正対象項目名】００１８
【補正方法】変更
【補正の内容】
【００１８】
請求項６に記載の発明は、上記プロセスカートリッジを構成する各部品の内、少なくとも現像ローラ、又は感光体を含む機能部品の最終交換時期までは、該機能部品を含む最大使用可能な部品組立形態で再使用する請求項４項又は請求項５項記載の画像形成装置のプロセスカートリッジである。また、請求項７に記載の発明は、潜像を担持する像担持体と、像担持体表面に均一に帯電を施す帯電装置と、帯電した像担持体の表面に静電潜像を書き込む露光装置と、像担持体表面に形成された静電潜像を可視像化する現像装置と、像担持体表面の可視像を直接又は中間転写体を介して記録部材に転写する転写装置と、像担持体上のトナ−をクリ−ニングするクリ−ニング装置と、記録部材上の可視像を熱及び又は圧力で定着させる定着装置とを備える画像形成装置において、前記画像形成装置は、請求項１ないし３のいずれかに記載の現像装置又は請求項４ないし６のいずれかに記載のプロセスカートリッジを備える画像形成装置である。